【手続補正書】
【提出日】平成18年8月13日(2006.8.13)
【手続補正１】
【補正対象書類名】特許請求の範囲
【補正対象項目名】全文
【補正方法】変更
【補正の内容】
【特許請求の範囲】
【請求項１】
真円ロータリーエンジンの燃焼室（１）の前室に略半円形の吸入弁室を設け、吸入弁室に接続してロータ枠（９）を設け、吸入弁室に略半月形の吸入弁（３１）を設けそしてロータ枠（９）内にロータ（１０）の１部が接っするロータを入れ、ロータと吸入弁が同方向に等角回転し、吸微出入（７１）の先端とロータ後部（１６）が同方向に等角回転して接っしながら出来たロータ後部（１６）の形より極微外側に出した事を特徴とした真円ロータリーエンジン。
【請求項２】
燃焼室（１）を挟んで吸入弁室の反対側に断面略半円形の排気弁室を設け、排気弁室の中に断面略半円形の排気弁（３２）を収容し、ロータ（１０）と排気弁（３２）が同方向に等角回転し、ロータ前部（８）は排微出入（８１）の先端と接っしながら同方向に等角回転して出来たロータ前部の形より極微外側に出す事を特徴とした真円ロータリーエンジン。
【請求項３】
前微出入（５３）の先端部と吸弦前部（３０）が同方向に等角回転して接っしながら出来た吸弦前部（３０）の形より極微外側に出した事を特徴とした真円ロータリーエンジン。
【請求項４】
ロータ（１０）の後微出入（６３）の先端部と吸弦後部（１９）が同方向に等角回転して接っしながら出来た吸弦後部の形より極微外側に出す事を特徴とした真円ロータリーエンジン。
【請求項５】
吸気弁で吸微出入の反対側に通気部（３５）に袖部（２６）．（２６Ａ）を設ける事を特徴とした真円ロータリーエンジン。
【請求項６】
ロータ（１０）の前微出入（５３）の先端と排気弁（３２）の排弦前部（６）が同方向に等角回転して接っしながら出来た排弦前部（６）の形より極微外側に出す事を特徴とした真円ロータリーエンジン。
【請求項７】
ロータ（１０）の後微出入（６３）の先端と排気弁（３２）の排弦後部（３３）が同方向に等角回転して接っしながら出来た排弦後部の形より極微外側に出した事を特徴とした真円ロータリーエンジン。
【請求項８】
排気弁（３２）で排微出入（８１）の反対側に通気部（３４）の所に袖部（２７）．（２７Ａ）を設ける事を特徴とした真円ロータリーエンジン。
【手続補正２】
【補正対象書類名】明細書
【補正対象項目名】全文
【補正方法】変更
【補正の内容】
【発明の詳細な説明】
【発明の名称】真円ロータリーエンジン。
【技術分野】
【０００１】本発明は、特願平９−１７６２６２と特願平９−１７６２６１のロータの先端部が変わったので吸入弦部と排気弦部が変った事に関するものである。
【背景技術】
【０００２】私は、以前に出願したものであるが特願平９−１７６２６２と特願平９−１７６２６１のロータの先端部が丸みおびて角が無いために吸入弦部とロータ先端部が同方向に等角回転して接っしながら出来た形である。【０００３】ロータ先端部が丸みおびて角がないため排気弦部とロータ先端部が同方向に等角回転して接っしながら出来た形である。
【発明の開示】
【発明が解決しようとする課題】
【０００４】吸弦前部とロータ先端部の前微出入の隙間を無す、吸弦後部と後微出入の隙間を無す、排弦前部と前微出入の隙間を無す、排弦後部と後微出入の隙間を無す、ロータ後部と吸微出入の隙間を無す、ロータ前部と排微出入の隙間を無す。ロータと吸入弁が各各同方向に回転しながら常に接っするようにする。１定の所で混合ガスを通す。ロータと排気弁が同方向に回転しながら接っするようにする。１定の所で燃焼ガスを通す。
【課題を解決するための手段】
【０００５】ロータ枠内にロータを収容しロータは長円形で１方をロータ枠に接っしさせ、ロータ枠の１方に燃焼室を設け燃焼室の前部に断面略半円形の吸入弁室を設けて中に弧の部分を接っしさせて断面略半円形の吸入弁を収容し、燃焼室の後部に断面略半円形の排気弁室を設けて中に断面略半円形で弧の部分を接っしさせて排気弁を収容し、ロータ及び吸入弁及び排気弁に直結した回転軸を各各の枠外へ出して同等のギヤを設けてロータに直結したギヤと吸入弁に直結したギヤの間に１個ギヤを介して噛み合わせる。ロータに直結したギヤと排気弁に直結したギヤの間にギヤを１個介して噛み合わせる。【０００６】ロータ後部と吸微出入の先端部が同方向に等角回転し接っしながら出来たロータ後部の形より極微外側に出す事により吸微出入が僅かに凹む。【０００７】ロータ前部と排微出入の先端部が同方向に等角回転して接っしながら出来たロータ前部形より極微外側に出す事により排微出入が僅かに凹む。【０００８】吸弦前部と前微出入の先端部そして吸弦後部と後微出入のの先端部が同方向に等角回転して接っしながら出来た吸弦前部及び吸弦後部の形より極微外側に出す事により前微出入及び後微出入が僅かに凹む、吸入弁先端２８Ａはロータの先端角２８と同じくしこの角度の所はロータ先端部と接っしさせる【０００９】吸入弁の吸微出入の反対側の角部に両端に袖部を残して中程を切り取る。【００１０】排気弁で排弦前部とロータの前微出入の先端部そして排弦後部とロータの後微出入の先端部が同方向に等角回転して接っしながら出来た排弦前部及び排弦後部の形より極微外側に出す事により前微出入と後微出入が僅かに凹む。排気弁先端角２８Ｂの角度はロータ先端角２８と同じくこの部分は真円の１部とする。排気弁先端角２８Ｂに当たる排気弦部の所はロータ先端部と接っしさせる。【００１１】排気弁で排微出入の反対の角に両端に袖部を残して中程は切り取る。切り取った部分に燃焼ガスを通す。
【発明の効果】
【００１２】ロータと吸入弁の間から混合ガス及び燃焼ガスが漏れないそしてロータと排気弁の間から混合ガス及び燃焼ガスが漏れない。【００１３】排気弁とロータそして吸入弁とロータが常に接っしているので１箇所だけ擦り減るという事はない。
【発明を実施するための最良の形態】
【００１４】排気弁の排微出入の奥はひっかけ付でバネで押しその排微出入８１の先端部とロータ前部８が同方向に等角回転し接っしながら出来たロータ前部８の形より０．５ｍｍ位外側に出す。【００１５】吸入弁の吸微出入の奥はひっかけ付でバネで押しその吸微出入７１の先端部とロータ後部１６が同方向に等角回転し接っしながら出来たロータ後部１６の形より０．５ｍｍ位外側に出す。【００１６】ロータの前微出入５３及び後微出入の奥はひっかかり付でバネで押し、前微出入５３の先端部と吸弦前部３０は同方向に等角回転して接っしながら出来た吸弦前部３０の形より０．５ｍｍ位い外側に出す、吸入弦部２４に近くなる程出を０にする。【００１７】吸弦後部１９とロータの後微出入６３の先端部が同方向に等角回転して接っしながら出来た吸弦後部の形より０．５ｍｍ外側に出す。しかし吸入弦部２４の近くになる程出を少なくし吸入弦部と吸弦後部の堺い目は出を０にする【００１８】吸微出入の反対側の角の所に吸入弁とロータが接っしていても混合ガスを通すため吸入弁の両端の袖部を残して中程を切り取る。【００１９】排弦前部６とロータの前微出入５３の先端部が同方向に等角回転して接っしながら出来た排弦前部６の形より０．５ｍｍ位い外側に出す。排気弦部２の所に近ずくにつれて出を少なくし排弦前部と排気弦部の堺い目の出を０にする。排気弦部２の排気先端角２８Ｂはロータ先端角２８と同じ角度とする。排気弦部は真円の１部とする。排気弦部とロータの先端部を接っしさせる。【００２０】排弦後部３３とロータの後微出入６３の先端部が同方向に等角回転して接っしたが出来た排弦後部３３の形より０．５ｍｍ位外側に出す。排気弦部２と排弦後部の堺い目は出を０にするが排気弦部から離れるにつれてしだいに排弦後部の出を０．５ｍｍ位にする。排気弦部と排弦後部の堺い目から５ｍｍから１ｃｍ位排弦後部に入た所から排弦後部の出を０．５ｍ位いにする。【００２１】排微出入の反対側の角部の所の両端に袖部２７．２７Ａを残して中程を切り取る。
【実施例】
【００２２】奥の方にひっかかり付とバネ７３で押された吸微出入７１の先端部とロータ後部１６が同方向に等角回転して接っしながら出来た形より極微外側に出す、前記接っしながら出来た形は吸微出入が奥のひっかかりにひっかかって止まる吸微出入の出でもって接っしながら描いた形とする。【００２３】奥の方にひっかかり付とバネ８３で押された排微出入８１の先端部とロータ前部８が同方向に等角回転して接っしながら出来た形より極微外側に出す、前記接っしながら出来た形は排微出入が奥のひっかかりにひっかかって止まるところの排微出入の先端部とロータ前部が回転しながら接っしさせた形とする。【００２４】前微出入５３の奥及び後微出入６３の奥の方にひっかかり付でバネ５６．６５で押し前微出入５３がひっかかりにひっかかって止まる所の前微出入５３の先端部と吸弦前部３０が同方向に等角回転し接っしながら出来た吸弦前部の形より極微外側に出す。吸入弦部２４に近ずくにつれてしだいに出を０にする。【００２５】吸入先端角２８Ａは、ロータ先端角２８と同じくする。吸入弦部２４は真円の１部としロータ先端と接っしさせる。【００２６】後微出入６３が奥のひっかかりにひっかかって出が止まる所の後微出入６３の先端部と吸弦後部１９が同方向に等角回転して接っしながら出来た吸弦後部の形より極微外側に出し吸入弦部２４と後微出入の堺い目は出を０にするが堺い目より吸弦後部に５ｍｍ位から１０ｍｍ位移るまではしだいに出を大きくしそれから出を０．５ｍｍ位いとする。【００２７】吸微出入７１の反対側の角に両端に袖部２６．２６Ａを残して中程を切り取って通気部３５とする。【００２８】前微出入５３の奥の方のひっかかりがひっかかって出が止まる所の前微出入５３の先端部と排弦前部６が同方向に等角回転して接っしながら出来た排弦前部の形より極微外側に出す。排弦前部６と排気弦部２の堺い目より排弦前部の方に５ｍｍ位から１０ｍｍ位移った所からしだいに出を小さくし排弦前部と排気弦部の堺い目の出は０にする。【００２９】排気先端角２８Ｂとロータ先端角２８は同角とする。排気弦部２は真円の１部としロータ先端部と接っしさせる。【００３０】後微出入６３は、奥の方のひっかかりにひっかかって出止まり後微出入６３の先端部と排弦後部３３が同方向に等角回転して接っしながら出来た排弦後部の形より極微外側に出す。排気弦部２と排弦後部３３の堺い目の出を０とし堺い目より５ｍｍ位から１０ｍｍ位排弦後部に入った所までしだいに出を大きくそれから出を０．５ｍｍ位い出す。【００３１】排微出入８１の反対側の角の袖部２７．２７Ａを残して中程は切り取って通気部とする
【産業上の利用可能性】
【００３２】真円ロータリーエンジン
【図面の簡単な説明】
【００３３】
【図１】真円ロータリーエンジンの全体図
【図２】ロータの全体図
【図３】吸入弁全体図
【図４】排気弁全体図
【符号の説明】
【００３４】１                      燃焼室
２                      排気弦部
６                      排弦前部
８                      ロータ前部
１０                    ロータ    
１６                    ロータ後部
１９                    吸弦後部
２４                    吸入弦部
２６．２６Ａ            袖部
２７．２７Ａ            袖部
２８                    ロータ先端角
２８Ａ                  吸入先端角
２８Ｂ                  排気先端角
３０                    吸弦前部
３１                    吸入弁
３２                    排気弁
３３                    排弦後部
３４．３５              通気部
５２，６２，７２        微回転
５３                    前微出入
５４                    ロータ先端部
６３                    後微出入
７１                    吸微出入
５５．６４．７３．７４．８３．８４    バネ
８１                    排微出入
８２                    排微回転
７２                    吸微回転
【手続補正３】
【補正対象書類名】図面
【補正対象項目名】全図
【補正方法】変更
【補正の内容】
【図１】
2006052721.tif 000001
【図２】
2006052721.tif 000002
【図３】
2006052721.tif 000003
【図４】
2006052721.tif 000004
【図５】
2006052721.tif 000005
【図６】
2006052721.tif 000006